(57)【要約】      （修正有）【課題】部品点数を大幅に増加させることなく、挿入口の視認性を向上させることのできる記録媒体再生装置を提供する。【解決手段】再生装置本体１の前面１Ａに操作パネル７を備え、この操作パネル７を再生装置本体１の前面１Ａから退避させて記録媒体３の挿入口１１を露出させる記録媒体再生装置１００において、操作パネル７を位置決めするガイド部材１３を備え、操作パネル７を再生装置本体１の前面１Ａから退避させたときに、ガイド部材１３を挿入口１１の前方に位置させると共に、再生装置本体１に設けた光源から照射された光を導く導光素材で形成した。【選択図】図２
2008084511.tif 000002
【特許請求の範囲】
【請求項１】
再生装置本体の前面に操作パネルを備え、この操作パネルを再生装置本体の前面から退避させて記録媒体の挿入口を露出させる記録媒体再生装置において、
前記操作パネルを位置決めするガイド部材を備え、
このガイド部材を、前記操作パネルを再生装置本体の前面から退避させたときに、前記挿入口の前方に位置させると共に、前記再生装置本体に設けた光源から照射された光を導く導光素材で形成したことを特徴とする記録媒体再生装置。
【請求項２】
前記操作パネルを回動自在なパネルホルダに支持し、このパネルホルダに前記ガイド部材を備えたことを特徴とする請求項１記載の記録媒体再生装置。
【請求項３】
前記操作パネルを再生装置本体の前面に着脱自在に備え、この前面に前記ガイド部材を備えたことを特徴とする請求項１記載の記録媒体再生装置。
【請求項４】
前記ガイド部材を前記挿入口に対して左右対称に一対備えたことを特徴とする請求項１乃至３のいずれか一項に記載の記録媒体再生装置。
【発明の詳細な説明】
【技術分野】
【０００１】
本発明は、記録媒体を再生するための記録媒体再生装置に関する。
【背景技術】
【０００２】
一般に、再生装置本体の前面に操作パネルを備え、この操作パネルを再生装置本体の前面から退避させて記録媒体の挿入口を露出させる記録媒体再生装置が知られている。この記録媒体再生装置では、操作パネルを再生装置本体に取り付ける際に、再生装置本体側に設けた位置決めガイド部材に、操作パネルを係合させて、操作パネルの位置決めを行っていた（例えば、特許文献１参照）。
【０００３】
ところで、車載用の記録媒体再生装置では、記録媒体の挿入口を露出させた場合に、夜間運転時等に、記録媒体の挿入口周辺が暗がりとなって視認しにくく、記録媒体の挿入動作が困難になる等の問題があった。
これを解消するため、従来、暗闇でもユーザに挿入口の位置を知らせるため、挿入口周辺を照明する照明装置が提案されている。
【特許文献１】特開平９−３２１４４９号公報
【発明の開示】
【発明が解決しようとする課題】
【０００４】
しかし、従来の照明装置では、一般的に、記録媒体の挿入口が形成された面と略同一の面上に略平行に発光源を設けており、この種のものでは、特に挿入口が奥まった位置に形成されている場合に、見えにくく、あるいは、視認できないことがあった。また、挿入口を証明するためのライトを操作パネル側に設ける方法が考えられるが、これだと構造が複雑となり、部品点数も大幅に増加してしまう。
そこで、本発明の目的は、上述した従来の技術が有する課題を解消し、部品点数を大幅に増加させることなく、記録媒体の挿入口の視認性を向上させることのできる記録媒体再生装置を提供することにある。
【課題を解決するための手段】
【０００５】
本発明は、再生装置本体の前面に操作パネルを備え、この操作パネルを再生装置本体の前面から退避させて記録媒体の挿入口を露出させる記録媒体再生装置において、前記操作パネルを位置決めするガイド部材を備え、このガイド部材を、前記操作パネルを再生装置本体の前面から退避させたときに、前記挿入口の前方に位置させると共に、前記再生装置本体に設けた光源から照射された光を導く導光素材で形成したことを特徴とする。
【０００６】
この場合において、前記操作パネルを回動自在なパネルホルダに支持し、このパネルホルダに前記ガイド部材を備えてもよい。前記操作パネルを再生装置本体の前面に着脱自在に備え、この前面に前記ガイド部材を備えてもよい。
これら構成によると、操作パネルを再生装置本体に取り付ける際の位置決めと、挿入口の照明とを兼用して備えることにより、部品点数を大幅に増加させることなく、挿入口の視認性を向上させることができる。
【０００７】
この場合に、前記ガイド部材を前記挿入口に対して左右対称に一対備えてもよい。
この構成によると、挿入される記録媒体の挿入経路に対して左右対称の位置でガイド部材が発光するため、挿入経路を視覚的に確認し易くすることができる。
【発明の効果】
【０００８】
本発明では、操作パネルを再生装置本体に取り付ける際の位置決めと、挿入口の照明とを兼用して備えることにより、部品点数を大幅に増加させることなく、挿入口の視認性を向上させることができる。
【発明を実施するための最良の形態】
【０００９】
以下、本発明の一実施形態を、図面に基づき説明する。
図１は、本実施の形態に係る車載用オーディオ装置（記録媒体再生装置）の外観を示す斜視図である。この車載用オーディオ装置１００は、車両のダッシュボードに設けられた所定の収納スペースに嵌め込まれる再生装置本体１を有し、ＣＤ（Compact Disc）、ＤＶＤ（Digital Versatile Disc）等の例えば直径８ｃｍや、直径１２ｃｍ等の大きさの記録媒体としてのディスク３（図４参照）を再生装置本体１に引き込んで収容し、このディスク３に記録されている情報を再生する。
【００１０】
再生装置本体１の前面両端の下部には、一対の支持片８が固定され、一対の支持片８には、軸８Ａを介して、パネルホルダ９が、図１の状態から図２の状態に向けて回動自在にヒンジ連結されている。パネルホルダ９の表面には、操作パネル７が支持され、操作パネル７の表面には、ユーザインターフェースとして機能する操作部５が設けられている。操作部５はリリースボタン６を含み、リリースボタン６を押すと、パネルホルダ９がリリースされ、パネルホルダ９が、上述したように回動（退避）し、再生装置本体１の正面に、記録媒体の挿入口１１が露出する。
【００１１】
操作パネル７の裏面の左右両側部には、図３に示すように、操作パネル７の短手方向に延びた一対のスライド溝７Ａが形成され、操作パネル７の裏面の下縁部７Ｂには、間隔Ｗをあけて一対のガイド溝１７が形成されている。
【００１２】
パネルホルダ９の左右両端には、操作パネル７を支持する支持機構１０、１２が設けられている。この支持機構１０、１２は、一対のスライド溝７Ａに係合し、操作パネル７を両側から挟持可能に形成されている。パネルホルダ９の下縁部には、間隔Ｗと同様の間隔をあけて、操作パネル７の各ガイド溝１７に嵌合する一対のガイド部材１３が設けられている。このガイド部材１３は、図４に示すように、挿入されるディスク３の挿入経路に対して左右対称に設けられている。ガイド部材１３は、パネルホルダ９の裏面に対して略面一の状態で取り付けられ、パネルホルダ９の表面側に突出し、図３の状態で手前よりも奥が高い楔状に形成されている。
【００１３】
本構成では、図３に示すように、操作パネル７を、矢印Ａの方向にスライドさせて挿入すると、まず支持機構１０、１２が、一対のスライド溝７Ａに係合し、当該操作パネル７を両側部から挟圧保持すると共に、この操作パネル７が、最も奥に挿入された際には、一対のガイド部材１３が、一対のガイド溝１７にぴったりと嵌合し、操作パネル７がパネルホルダ９に完全位置決めされる。
【００１４】
図５は、本実施形態の要部を示す。
本実施の形態では、上記ガイド部材１３が光を導く導光素材で形成され、ガイド部材１３の後端１３Ａは、再生装置本体１の前面１Ａを指向している。再生装置本体１の前面１Ａには、記録媒体の挿入口１１が開口し、挿入口１１の下方には、導光用開口１９が形成されている。導光用開口１９には、導光用部材２０が接続され、導光用部材２０は、再生装置本体１内に配置された回路基板２１上のＬＥＤ（光源）２３に接続されている。導光用開口１９は、図５中で略下半部１９Ａがガイド部材１３の後端１３Ａに対向し、略上半部１９Ｂが露出している。
【００１５】
つぎに、本実施の形態の動作を説明する。
再生装置本体１の挿入口１１へのディスク３の挿入に先立って、ユーザが、操作パネル７のリリースボタン６を押動すると、図２に示すように、パネルホルダ９及び操作パネル７が一体に回動して、挿入口１１が前方に露出する。
また、図３に示すように、ＬＥＤ２３からの照明光は、導光用部材２０を通じて、導光用開口１９に導かれている。
【００１６】
パネルホルダ９及び操作パネル７が一体に回動すると、導光用開口１９の略上半部１９Ｂから放射された照明光が、開口前方の空間で拡散し、挿入口１１を下方から照明する。これに加え、本構成では、略下半部１９Ａから放射された照明光が、対向した楔状のガイド部材１３に、その後端１３Ａから入り、ガイド部材１３内を透過すると共に、その内部で反射して、ガイド部材１３の上面から放射されて挿入口１１を下方から照明する。
【００１７】
本実施の形態では、パネルホルダ９及び操作パネル７が一体に回動すると、ガイド部材１３が、挿入口１１の前方に位置し、ガイド部材１３上面から放射される光が、挿入口１１を前方から照明すると共に、ガイド部材１３の上面が広く、広い範囲から放射されるため、挿入口１１が十分に照明され、挿入口１１の視認性が向上する。また、一対のガイド部材１３が、挿入されるディスク３の挿入経路に対して左右対称の位置で発光するため、視覚的に挿入経路を確認し易くなり、確実に挿入できる。
本実施の形態では、従来から存在した位置決め用ガイド部材を導光素材で形成し、このガイド部材１３と導光部とを兼用化したため、部品点数を増加させることなく、挿入口１１の視認性を向上させることができる。
【００１８】
以上、一実施の形態に基づいて本発明を説明したが、本発明は、これに限定されるものでないことは明らかである。
例えば、再生装置本体の前面に、スライド操作等によって着脱される操作パネルを、直接的に配置し、これを開いたときには、再生装置本体の前面に挿入口が開口し、これを閉じたときには、再生装置本体の前面に突出して設けたガイド部材により、操作パネルを位置決めする構成を備え、当該ガイド部材を導光素材で形成し、このガイド部材に、ＬＥＤからの光を導いてもよい。この場合もガイド部材が挿入口よりも前方に位置するため、ガイド部材を通じて拡散放出された光が、挿入口を前方から広い範囲で照明し、挿入口の視認性が向上する。
【００１９】
上記実施の形態では、ガイド部材１３が楔状であったが、これに限定されものではなく、その形状は任意である。また、ガイド部材の上面に、光拡散用の凹凸、或いは波状の拡散面を形成してもよい。
【図面の簡単な説明】
【００２０】
【図１】本発明の一実施形態に係る車載用オーディオ装置を示す斜視図である。
【図２】操作パネルが開いた状態を示す斜視図である。
【図３】操作パネルがパネルホルダから取り外された状態を示す斜視図である。
【図４】操作パネルが開いた状態を示す上面図である。
【図５】光照射部を示す一部断面図である。
【符号の説明】
【００２１】
１  再生装置本体
３  ディスク（記録媒体）
７  操作パネル
９  パネルホルダ
１１  挿入口
１３  ガイド部材
２３  ＬＥＤ（光源）
１００  車載用オーディオ装置（記録媒体再生装置）
【図１】
2008084511.tif 000003
【図２】
2008084511.tif 000004
【図３】
2008084511.tif 000005
【図４】
2008084511.tif 000006
【図５】
2008084511.tif 000007